(57)【要約】      （修正有）【課題】標示体の支柱への固定が外れたときに、標示体の落下をより確実に防止できる標示体の設置構造を提供する。【解決手段】標示体の外面にワイヤー固定部を複数形成し、この各ワイヤー固定部に落下防止ワイヤーの一方の端部をそれぞれ固定させ、前記支柱の外面に形成した支柱ワイヤー固定部に前記各落下防止ワイヤーの他方の端部をそれぞれ固定させる。前記標示体の支柱への固定が外れたときに、引張された落下防止ワイヤーが他の物品へ接触しにくく、切断されにくい。また、前記各落下防止ワイヤーの１本が切れた場合でも、残りの落下防止ワイヤーで前記標示体を吊り下げて前記標示体の落下を防止できる。【選択図】図２
2018071167.tif 000002
【特許請求の範囲】
【請求項１】
立設する支柱に取付金具を介して取り付けられる標示体の設置構造であって、
前記標示体の外面にワイヤー固定部が複数形成され、該各ワイヤー固定部に落下防止ワイヤーの一方の端部がそれぞれ固定されており、
前記支柱の外面に支柱ワイヤー固定部が形成され、該支柱ワイヤー固定部に前記各落下防止ワイヤーの他方の端部がそれぞれ固定されていることを特徴とする標示体の設置構造。
【請求項２】
前記支柱は断面が円形又は楕円形状に形成され、
該各支柱ワイヤー固定部が前記支柱の左右横側にそれぞれ１個づつ２個１組に形成されており、
前記各支柱ワイヤー固定部に一方の端部を固定させた前記各落下防止ワイヤーの他方の端部が、前記支柱の前側に取り付けられた前記標示体の各ワイヤー固定部に固定されると共に、該各ワイヤー固定部の左右の間隔の大きさが前記各支柱ワイヤー固定部の左右の間隔よりも大きくなされて配置されていることを特徴とする請求項１に記載の標示体の設置構造。
【請求項３】
前記標示体は、ボルト・ナットを脱抜不能に挿入可能な溝部が形成されており、
該溝部へ挿入させたボルト・ナットによって取り付けられた前記取付金具を介して前記標示体が前記支柱へ取り付けられるとともに、
前記ボルト・ナットの左右横側に前記各ワイヤー固定部が配置されて前記溝部へ固定されていることを特徴とする請求項１または２に記載の標示体の設置構造。
【請求項４】
前記標示体が発光体を備え、該発光体を発光させる電力を生起する太陽電池ユニットが前記標示体の上方に配置されて前記支柱に取り付けられており、
前記太陽電池ユニットには、ワイヤー固定部が複数形成され、該各ワイヤー固定部に落下防止ワイヤーの一方の端部がそれぞれ固定されており、
前記支柱に支柱ワイヤー固定部が形成されると共に、該支柱ワイヤー固定部に前記各落下防止ワイヤーの他方の端部がそれぞれ固定されていることを特徴とする請求項１〜３に記載の標示体の設置構造。
【発明の詳細な説明】
【技術分野】
【０００１】
本発明は、立設する支柱に取り付けて標示を表す標示体の設置構造に関するものである。
【背景技術】
【０００２】
サインや、標識などの標示を表す標示体は、発光体を内装して表示部分を内側から光で照らす内照式のものや、ＬＥＤなどの発光体をマトリクス状に配置してこれらの発光と消灯とを組み合わせて標示を表すものなど様々なものが用いられており、その設置方法に関しても種々の発明が開示されている。
【０００３】
例えば、特許文献１には、支柱に突設した支持部材に灯器取付部材を垂設し、この灯器取付部材に接続金具を固定し、この接続金具に信号灯器を過負荷破損部を有する複数個のボルトによって固定するとともに、前記信号灯器を落下防止用ワイヤーによって吊設したことを特徴とする交通信号灯器の吊設装置が開示されており、この中には、支柱側に設けた接続金具１８の内側へ上端を取り付けた落下防止ワイヤー２６ａ、２６ｂの下端を信号灯器４の筐体７の内側で固定し、信号灯器４の支柱からの落下を防止させる構成が示されている。
【先行技術文献】
【特許文献】
【０００４】
【特許文献１】特開２００１−１０１５８５号公報
【発明の概要】
【発明が解決しようとする課題】
【０００５】
しかしながら、特許文献１の如き吊設装置は、筐体７へ外力がかかって支柱と筐体７との取り付け部分が破損したときに、上下の取り付け部分の間で引張された落下防止ワイヤー２６ａ、２６ｂが筐体７の縁や、筐体７に内装される部品などに接触して切断される危険性が懸念された。
【０００６】
本発明は、支柱との固定部分が破損したときに標示体の落下をより確実に防止できる標示体の設置構造を提供するものである。
【課題を解決するための手段】
【０００７】
上記目的を達成するため、本発明は以下のような構成としている。
すなわち、本発明に係る標示体の設置構造は、立設する支柱に取付金具を介して取り付けられる標示体の設置構造であって、
前記標示体の外面にワイヤー固定部が複数形成され、該各ワイヤー固定部に落下防止ワイヤーの一方の端部がそれぞれ固定されており、
前記支柱の外面に支柱ワイヤー固定部が形成され、該支柱ワイヤー固定部に前記各落下防止ワイヤーの他方の端部がそれぞれ固定されていることを特徴とするものである。
【０００８】
本発明に係る標示体の設置構造によれば、落下防止ワイヤーの一方の端部を固定するワイヤー固定部を標示体の外面に形成すると共に、前記落下防止ワイヤーの他方の端部を固定する支柱ワイヤー固定部を支柱の外面に形成するので、標示体を支柱へ取り付ける取付金具が破損するなどして前記標示体の支柱への固定が外れたときに、引張された落下防止ワイヤーが他の物品へ接触しにくく、切断されにくい。
また、前記ワイヤー固定部を標示体の外面に複数形成させ、これらへそれぞれ一方の端部を固定させた各落下防止ワイヤーを前記支柱固定部へ固定させるので、前記標示体の支柱への固定が外れたときに、引張された前記各落下防止ワイヤーの１本が切れた場合でも、残りの落下防止ワイヤーで前記標示体を吊り下げて前記標示体の落下を防止できる。
【０００９】
また、前記各支柱ワイヤー固定部を前記支柱の左右横側にそれぞれ１個づつ２個１組に形成させ、前記各支柱ワイヤー固定部に一方の端部を固定させた前記各落下防止ワイヤーの他方の端部を、前記支柱の前側に取り付けた前記標示体の各ワイヤー固定部に固定させれば、前記標示体の支柱への固定が外れたときに、引張された前記各落下防止ワイヤーが標示体の外面に接触しにくくなされ、各落下防止ワイヤーが切断されにくくなされるので、好ましい。
また、各ワイヤー固定部の左右の間隔の大きさを前記各支柱ワイヤー固定部の左右の間隔よりも大きくすれば、支柱への固定が外れて前記標示体が横方向に移動したときに、全ての落下防止ワイヤーが同時に強く引張されるような状態が生じにくくなされるので、全ての落下防止ワイヤーが同時に切断される問題が抑制でき、好ましい。
また、前記支柱の断面を円形又は楕円形状に形成すれば、前記標示体の支柱への固定が外れて各落下防止ワイヤーが引張されたときに、落下防止ワイヤーが支柱の角部に接触することがないので、各落下防止ワイヤーの切断が抑制され、好ましい。
【００１０】
また、前記標示体に、ボルト・ナットを脱抜不能に挿入可能な溝部を形成し、この溝部へ挿入させたボルト・ナットによって取り付けた前記取付金具を介して前記標示体を前記支柱へ取り付けると共に、前記ボルト・ナットの左右横側に前記各ワイヤー固定部を配置させて前記溝部へ固定すれば、前記各ワイヤー固定部を標示体へ容易に設けることができるので、好ましい。
【００１１】
また、前記標示体に発光体を備えさせ、この発光体を発光させる電力を生起する太陽電池ユニットを前記標示体の上方に配置させて前記支柱に取り付ければ、環境に優しい発光標示を行うことができるので、好ましい。
また、前記太陽電池ユニットに、ワイヤー固定部を複数形成させ、この各ワイヤー固定部に落下防止ワイヤーの一方の端部をそれぞれ固定させ、前記支柱に支柱ワイヤー固定部を形成させると共に、この支柱ワイヤー固定部に前記各落下防止ワイヤーの他方の端部をそれぞれ固定させれば、標示体のみならず、太陽電池ユニットの支柱からの落下を防止できるので、好ましい。
【発明の効果】
【００１２】
本発明に係る標示体の設置構造によれば、標示体の支柱への固定が外れたときに、標示体の落下をより確実に防止できる。
【図面の簡単な説明】
【００１３】
【図１】本発明に係る標示体の設置構造の実施の一形態を示す正面図である。
【図２】（イ）は図１の側面図であり、（ロ）は背面図である。
【図３】図２の標示体の落下防止ワイヤー部分を拡大して示す側面図である。
【図４】図３の背面図である。
【図５】図２の太陽電池ユニット部分を拡大して示す側面図である。
【図６】図５の背面図である。
【図７】図６の太陽電池ユニットを支柱から取り外した状態を示す図である。
【図８】図２の制御箱の落下防止ワイヤー部分を拡大して示す側面図である。
【図９】図８の正面図である。
【発明を実施するための形態】
【００１４】
本発明の実施の形態を図面に基づき具体的に説明する。
図面において、１は支柱であり、２は標示体である。
標示体２は、全体を縦長矩形板状に形成した標示体２ａと、全体を略正方形板状に形成した標示体２ｂとをそれぞれ別体に設けており、前記各標示体２ａ、２ｂを上下に配置させて前記支柱１へ取り付けている。
前記各標示体２は、その前面側にマトリクス状にＬＥＤを配置させている。
各標示体２は、前記各ＬＥＤの点灯と消灯とを選択的に行い、その組み合わせによって文字や数字や図形などの情報を可変的に表すように設けている。
前記各標示体２は、支柱１の後側に一部を配置させた取付金具８２を介して、立設させた円筒形状の支柱１の前側に取り付けている。
また、前記各標示体２と支柱１には、落下防止ワイヤー９２の端部をそれぞれ固定させている。
【００１５】
４は太陽電池ユニットであり、５は制御箱である。
太陽電池ユニット４は傾斜状に配置させた太陽電池の受光面へ太陽光を受光させて電力を生起させ、この電力を制御箱５に内装する蓄電部へ蓄電するように設けている。制御箱５は内装する制御部の制御によって、前記蓄電部に蓄電させた電力を各標示体２の前記各ＬＥＤへ選択的に供給し、その点灯と消灯とを行い標示を表すように設けている。
【００１６】
前記太陽電池ユニット４は前記支柱１の上端部１１に取り付けており、前記制御箱５は支柱１の前側に一部を配置させた取付金具８５を介して前記支柱１の後側に取り付けている。
また、前記太陽電池ユニット４と支柱１には落下防止ワイヤー９４の端部をそれぞれ固定させており、前記制御箱５と支柱１には、落下防止ワイヤー９５の端部をそれぞれ固定させている。
【００１７】
図３は図２の標示体２の落下防止ワイヤー９２部分を拡大して示す側面図であり、図４は図３の背面図である。
図３、４では、後述する落下防止ワイヤー９４や、これに取り付けるシャックルなどの図示を省略して、図面を簡略化している。
また、図３、４では、２個の標示体２ａ、２ｂのうち、標示体２ａを拡大して図示しているが、標示体２ｂは標示体２ａと同様の方法で設置させている。
前記標示体２の後面には溝部２１を左右横方向に向けて形成している。
前記溝部２１は、溝の奥側の幅の大きさを相対する溝の各開口縁間の大きさよりも大きく設けた袋溝形状に設けており、溝部２１の端から挿入させた取付ボルトＢ２の頭部を開口から脱抜不能に収納させると共に、溝に沿ってスライド可能に形成している。
標示体２は、前記溝部２１を形成した溝金具２２を後面へ固定して前記溝部２１を設けている。
全体を縦長矩形板状に設けた前記標示体２ａには、前記溝金具２２を上下方向に間隔をあけて配置させて、合計４個固定させている。
全体を略正方形板状に設けた前記標示体２ｂには、前記溝金具２２を上下方向に間隔をあけて配置させて、合計２個固定させている。
【００１８】
前記取付金具８２は、前記溝部２１へ頭部を挿入させ後方へ雄ねじ部分を突出させた取付ボルトＢ２により、前記標示体２へ取り付けている。
前記取付金具８２は、断面を略Ｕ字形状に形成した所謂Ｕ字金具であり、Ｕ字状に形成させたＵ字板部８２ａと、その両側の端から側方外側へそれぞれ延設させた取付板部８２ｂとを形成している。
取付金具８２は、Ｕ字板部８２ａの内側の面を支柱１の後側へ当接させ、各取付板部８２ｂの貫通孔へ挿通させた前記取付ボルトＢ２の雄ねじ部分へナットＮ２を螺結させることで、標示体２へ取り付けられると共に、標示体２を支柱１へ取り付けている。
【００１９】
前記標示体２の後面にはワイヤー固定部２３ａを形成しており、このワイヤー固定部２３ａへ前記落下防止ワイヤー９２の一方の端部を固定させている。
前記ワイヤー固定部２３ａはワイヤー固定金具２３へ形成しており、このワイヤー固定金具２３を標示体２の後面へ固定することで前記ワイヤー固定部２３ａを標示体２に形成している。
前記ワイヤー固定金具２３は、金属板を曲げ加工して形成しており、標示体２の後面へ固定する取付板部２３ｃと、この取付板部２３ｃの上端から後方へ延設させる離間部２３ｂと、この離間部２３ｂの後端から上方へ延設させる前記ワイヤー固定部２３ａとを形成している。
【００２０】
前記ワイヤー固定金具２３は、標示体２の後面に形成した前記溝部２１へ頭部を挿入させ後方へ雄ねじ部分を突出させた取付ボルトＢ２により、前記標示体２へ取り付けている。
具体的には、前記取付ボルトＢ２の雄ねじ部分を取付板部２３ｃの貫通孔へ挿通させると共に、ナットＮ２を螺結させて、ワイヤー固定金具２３を標示体２の後面へ固定させている。
前記ワイヤー固定金具２３は、前記溝部２１へ取り付けた取付金具８２の側方にそれぞれ１個づつ合計２個配置して前記標示体２へ固定しており、各ワイヤー固定金具２３のワイヤー固定部２３ａへ２本の落下防止ワイヤー９２の下端をそれぞれ固定させている。
【００２１】
前記落下防止ワイヤー９２の両側の端には、シャックル等の金具へ容易に取り付け可能なリング部９２ａをそれぞれ形成している。各リング部９２ａは、落下防止ワイヤー９２を構成するワイヤーの端末を折り返して前記ワイヤーへ沿わせ、これらを囲うように取り付けたかしめ金具９２ｂをかしめて、リング状に形成している。
前記落下防止ワイヤー９２は、前記標示体２のワイヤー固定部２３ａの貫通孔へ取り付けたシャックル７２へ下側のリング部９２ａを取り付けて固定させている。
【００２２】
前記落下防止ワイヤー９２は、その上端を支柱１の支柱ワイヤー固定部１２へ取り付けて固定させている。
前記支柱ワイヤー固定部１２は、貫通孔１２ａを形成した板状に設けて、支柱１の左右両側に１個づつ合計２個形成している。具体的には、支柱ワイヤー固定部１２を構成する板状金具を支柱１へ溶接して固定している。
前記各支柱ワイヤー固定部１２の貫通孔１２ａには、それぞれシャックル７１を取り付けており、この各シャックル７１へ前記落下防止ワイヤー９２の上端のリング部９２ａを取り付けて固定している。
【００２３】
標示体２は取付金具８２を介して支柱１へ取り付けられているが、標示体２へ車両や飛来物などが衝突する等して取付金具８２による固定が外れる可能性が考えられる。
前記標示体２は、取付金具８２による固定が外れた場合において、ワイヤー固定部２３ａと支柱１の支柱ワイヤー固定部１２とに両端部を取り付けた落下防止ワイヤー９２によって支柱１に吊り下げられ、支柱１からの落下を防止することができる。
【００２４】
前記標示体２は、図４に示すように、後面側に設けた各ワイヤー固定部２３ａの左右の間隔を、前記支柱１に設けた支柱ワイヤー固定部１２の左右の間隔よりも大きく設けて配置させている。
このため、前記各落下防止ワイヤー９２は、互いの間隔の大きさが下方へ至るほど大きくなるような「ハ」の字状に配置させており、換言すると、２本の落下防止ワイヤー９２は平行ではなく一方に対し他方を傾斜状に配置させている。
各落下防止ワイヤー９２を上記のように配置させることで、取付金具８２による固定が外れて標示体２が支柱１から横方向へ移動した場合に、一方の落下防止ワイヤー９２が引張されても他方の落下防止ワイヤー９２が弛むようになされれば、各落下防止ワイヤー９２が同時に切断されるような問題が生じにくく、標示体２の落下をより確実に防止できる。
【００２５】
また、前記標示体２は、支柱１の左右両側に取付金具８２の各取付板部８２ｂをそれぞれ配置させ、この各取付板部８２ｂへ挿通させた各取付ボルトＢ２によって前記取付金具８２を取り付けて、支柱１へ取り付けられている。このため、前記各取付ボルトＢ２が同時に折損や、溝部２１から外れる等しなければ、前記支柱１から外れた標示体２は前方ではなく、斜め方向を含む左右いずれかの方向へ移動するので、各落下防止ワイヤーが両方同時に引張されて切断されるような問題がより生じにくく、標示体２の落下をより確実に防止できる。
【００２６】
また、取付金具８２による固定が外れた標示体２は、支柱１へ当接する後方ではなく、斜め方向を含む左右いずれかの方向へ移動しやすくなされる。このため前記支柱ワイヤー固定部１２を支柱１の左右両側にそれぞれ形成している前記標示体２の設置構造においては、標示体２が支柱１から離れて移動するときに、両者を繋ぐ各落下防止ワイヤー９２が支柱１以外の物品に接触しにくくなされるので、落下防止ワイヤー９２が切断されにくい。
更に、前記支柱１は断面形状が円形で角部を有していないので、支柱１の外面に接触した落下防止ワイヤー９２の切断が抑制される。
【００２７】
図５は図２の太陽電池ユニット４部分を拡大して示す側面図であり、図６は図５の背面図である。
図５、６では、標示体２や、落下防止ワイヤー９２、シャックル７１の図示を省略して、図面を簡略化している。
前記太陽電池ユニット４は、太陽電池の受光面の逆側である裏面から下方へ突出する円筒状の軸着部４１を備えており、軸着部４１の内側へ支柱１の上端部１１を挿入させて支柱１へ取り付けている。
支柱１の上端部１１は、前記軸着部４１の内側面よりも小径の円筒形状に形成させている。太陽電池ユニット４は、上端部１１を軸着部４１の内側へ挿入させた状態で上下を軸方向とする回転可能に支柱１へ取り付けている。これは、斜め上方へ向けて設けた太陽電池ユニット４が太陽光を良好に受光できるように、受光面を南側へ向ける方向調整を可能に設けるためである。
上端部１１へ取り付けた太陽電池ユニット４は、外側から軸着部４１へ螺入させたねじＢ３の先端を前記上端部１１へ圧接させることで、支柱１に対する回転や、上端部１１から上方への抜けを防止している。
尚、図５、６に示すように、前記太陽電池ユニット４を支柱１へ取り付けた状態において、上端部１１の下部が軸着部４１の外側に露出するように支柱１を設けているが、これに限るものではなく、支柱１より小径となされた前記上端部１１の全部が前記軸着部４１へ挿入されて収納されるように設けても良い。
また、前記太陽電池ユニット４は、軸着部４１の内側へ支柱１の上端部１１を挿入させるように設けているが、これに限るものではなく、支柱１の上端部１１の内側へ軸着部４１を挿入させて、太陽電池ユニット４を回転可能に支柱１へ取り付けても良い。
【００２８】
前記太陽電池ユニット４にはワイヤー固定部４３ａを形成しており、このワイヤー固定部４３ａへ前記落下防止ワイヤー９４の一方の端部を固定させている。
前記ワイヤー固定部４３ａは、ワイヤー固定金具４３へ形成しており、このワイヤー固定金具４３を太陽電池ユニット４の裏面へ固定することで前記ワイヤー固定部４３ａを太陽電池ユニット４に形成している。
前記ワイヤー固定金具４３は、前記ワイヤー固定金具２３と同様に、金属板を曲げ加工して形成しており、太陽電池ユニット４の裏面へ固定する取付板部４３ｃと、この取付板部４３ｃの端から垂直に延設させる離間部４３ｂと、この離間部４３ｂの端から垂直に延設させる前記ワイヤー固定部４３ａとを形成している。
【００２９】
前記ワイヤー固定金具４３は、太陽電池ユニット４に取り付けた取付ボルトＢ４によって、太陽電池ユニット４の裏面に取り付けている。
具体的には、前記取付ボルト４は、その雄ねじ部分を太陽電池ユニット４の裏面に対し垂直方向へ突出させるようにボルト頭部を太陽電池ユニット４の裏面へ取り付けている。
前記ワイヤー固定金具４３は、前記取付ボルト４３の雄ねじ部分を取付板部４３ｃの貫通孔へ挿通させると共に、ナットＮ４を螺結させて、ワイヤー固定金具４３を太陽電池ユニット４の裏面へ固定させている。
前記ワイヤー固定金具４３は、前記軸着部４１の左右側方にそれぞれ１個づつ合計２個配置して前記太陽電池ユニット４へ固定しており、各ワイヤー固定金具４３のワイヤー固定部４３ａへ２本の落下防止ワイヤー９４の上端をそれぞれ固定させている。
【００３０】
前記落下防止ワイヤー９４の両側の端には、前記落下防止ワイヤー９２と同様に、折り返したワイヤーの端部をかしめ金具９４ｂでかしめることで、シャックル等の金具へ容易に取り付け可能なリング部９４ａをそれぞれ形成している。前記各落下防止ワイヤー９４は、前記標太陽電池ユニット４のワイヤー固定部４３ａの貫通孔へ取り付けたシャックル７４へその上側のリング部９４ａを取り付けて固定させている。
【００３１】
前記落下防止ワイヤー９４は、その下端を支柱１の支柱ワイヤー固定部１４へ取り付けて固定させている。
前記支柱ワイヤー固定部１４は、貫通孔を形成した板状に設けて、支柱１の前後両側に１個づつ合計２個形成している。具体的には、前記支柱ワイヤー固定部１２と同様に、支柱ワイヤー固定部１４を構成する板状金具を支柱１へ溶接して固定している。
前記支柱ワイヤー固定部１４の貫通孔には、シャックル７１を取り付けており、この各シャックル７１へ前記落下防止ワイヤー９４の上端のリング部９４ａを取り付けて固定している。
図５に示す太陽電池ユニット４は、支柱の後側に形成した支柱ワイヤー固定部１４にシャックル７１を取り付け、このシャックル７１へ２本の落下防止ワイヤー９４の下端のリング部９４ａをそれぞれ取り付けて、固定させている。
【００３２】
図５に示す各落下防止ワイヤー９４は、その下端を支柱１の後側に形成した支柱ワイヤー固定部１４のみに固定させているが、これに限るものではない。前記太陽電池ユニット４は、受光面を南側へ向けるための向きの調整によって、２個のワイヤー固定部４３ａと、２個の支柱ワイヤー固定部１４との位置が変化するので、両者の位置に応じて、２本の落下防止ワイヤー９４の下端を、支柱１の前側に形成した支柱ワイヤー固定部１４のみに固定させてもよく、２個の支柱ワイヤー固定部１４へそれぞれ固定させてもよい。
【００３３】
図７は図５の太陽電池ユニット４を支柱１から取り外した状態を示す図である。
前記太陽電池ユニット４の軸着部４１は、落下防止ワイヤー９４の固定を外さなければ、支柱１の上端部１１から抜き外せないように設けている。
太陽電池ユニット４は、円筒形状の前記軸着部４１の内側へ支柱１の上端部１１を挿入させると共に、２本の落下防止ワイヤー９４の上下のリング部９４ａをそれぞれワイヤー固定部４３ａと支柱ワイヤー固定部１４とへ固定させているが、前記ねじＢ３を緩め軸着部４１を上方へ移動させたときに、支柱１の上端部１１が軸着部４１の内側から抜ける前に、前記落下防止ワイヤー９４が限界まで引張され、軸着部４１の移動を制限する。
前記太陽電池ユニット４は、前記各落下防止ワイヤー９４によって上端部１１への固定が外れる状態を抑制でき、支柱１からの落下を防止することができる。
【００３４】
前記支柱１や上端部１１や、太陽電池ユニット４の軸着部４１は、それぞれ断面の外形が円形で角部を有していないので、車両や飛来物などが衝突する等して太陽電池ユニット４が移動したときに、落下防止ワイヤー９４が支柱や軸着部の角部に接触して切断されるような問題が防止できる。
【００３５】
図８は図２の制御箱５の落下防止ワイヤー９５部分を拡大して示す側面図であり、図９は図８の正面図である。
図８、９では、前記標示体２や、取付金具８２などの図示を省略して、図面を簡略化している。
前記制御箱５の前面には、溝部５１を左右横方向に向けて形成している。
前記溝部５１は、前記標示体２の溝部２１と同様に形成しており、具体的には、溝５１の端から挿入させた取付ボルトＢ５の頭部を開口から脱抜不能に収納させると共に、溝に沿ってスライド可能な袋溝形状に設けている。
制御箱５は、前記溝部５１を形成した溝金具５２を前面へ固定して前記溝部５１を設けており、溝金具５２は上下方向に間隔をあけて配置させて２個固定させている。溝金具５２は前記溝金具２２と同じ断面形状に形成させている。
【００３６】
前記取付金具８５は、前記取付金具８２と同じ形状に形成させており、同様の方法で前記制御箱５へ取り付けている。
即ち、前記取付金具８５は、Ｕ字状に形成させたＵ字板部８５ａと、その端から側方外側へそれぞれ延設させた取付板部８５ｂとを備えるＵ字金具であり、Ｕ字板部８５ａの内側の面を支柱１へ当接させ、各取付板部８５ｂの貫通孔へ挿通させた取付ボルトＢ５の雄ねじ部分へナットＮ２を螺結させることにより、前記制御箱５へ取り付けると共に、前記制御箱５を支柱１へ取り付けている。
【００３７】
前記制御箱５にはワイヤー固定部５３ａを形成しており、このワイヤー固定部５３ａへ前記落下防止ワイヤー９５の一方の端部を固定させている。
前記ワイヤー固定部５３ａはワイヤー固定金具５３に形成しており、このワイヤー固定金具５３を制御箱５の前面へ固定することで前記ワイヤー固定部５３ａを制御箱５に形成している。
前記ワイヤー固定金具５３は、上部に貫通孔を備える板状に形成しており、この貫通孔を形成した上部を制御箱５の上面から上方へ突出させて前記ワイヤー固定部５３ａを形成すると共に、下部を前記制御箱５の前面へねじ止めして固定させている。
【００３８】
前記落下防止ワイヤー９５の両側の端には、前記落下防止ワイヤー９２、９４と同様に、かしめ金具９５ｂを用いてリング状のリング部９５ａをそれぞれ形成している。
前記落下防止ワイヤー９５は、前記制御箱５のワイヤー固定部５３ａの貫通孔へ取り付けたシャックル７５へ下側のリング部９５ａを取り付けて固定させている。
【００３９】
前記落下防止ワイヤー９５は、その上端を支柱１の支柱ワイヤー固定部１５へ取り付けて固定させている。
前記支柱ワイヤー固定部１５は、前記支柱ワイヤー固定部１２、１４と同様に、貫通孔を形成した板状金具を支柱１へ溶接して形成しており、支柱１の左右両側に１個づつ合計２個形成している。
前記落下防止ワイヤー９５は、その上側のリング部９５ａを、前記各支柱ワイヤー固定部１５の貫通孔に取り付けたシャックル７１へ取り付けて固定している。
【００４０】
制御箱５は、取付金具８５による固定が外れた場合において、ワイヤー固定部５３ａと支柱１の支柱ワイヤー固定部１５とに両端部を取り付けた落下防止ワイヤー９５によって支柱１に吊り下げられ、支柱１からの落下を防止することができる。
【００４１】
また、前記制御箱５は、前記標示体２と同様に、支柱１の左右両側に取付金具８５の各取付板部８５ｂをそれぞれ配置させ、この各取付板部８５ｂへ挿通させた各取付ボルトＢ５によって前記取付金具８２を取り付けて、支柱１へ取り付けている。このため、前記各取付ボルトＢ５が同時に折損や、溝部５１から外れる等しなければ、前記支柱１から外れた制御箱５は後方ではなく、斜め方向を含む左右いずれかの方向へ移動するので、各落下防止ワイヤー９５が両方同時に引張されて切断されるような問題が生じにくく、制御箱５の落下をより確実に防止できる。
【００４２】
また、取付金具８５による固定が外れた制御箱５は、支柱１へ当接する前方ではなく、斜め方向を含む左右いずれかの方向へ移動しやすくなされる。このため前記支柱ワイヤー固定部１５を支柱１の左右両側にそれぞれ形成している前記制御箱５の設置構造においては、制御箱５が支柱１から離れて移動するときに、両者を繋ぐ各落下防止ワイヤー９５が支柱１以外の物品に接触しにくくなされるので、落下防止ワイヤー９５が切断されにくい。
更に、前記支柱１は断面形状が円形で角部を有していないので、支柱１の外面に接触した落下防止ワイヤー９５の切断が抑制される。
【００４３】
尚、本発明に係る標示体の設置構造は、上記実施形態に限定されるものではなく、本発明の要旨を逸脱しない範囲で種々の変更が可能である。
例えば、前記標示体２のワイヤー固定部２３ａは、溝部２１へボルト頭部を挿入させた取付ボルトＢ２とこれに螺結させるナットＮ２によりワイヤー固定金具２３を各溝部２１へ取り付けて設けているが、これに限るものではない。溝部２１へ挿入させたナットＮ２と、これに螺結させる取付ボルトＢ２によって前記ワイヤー固定金具２３を溝部２１へ取り付けてもよく、制御箱８５へ取り付けた取付金具８５と同様に、標示体２の後面の溝部２１以外の部分へねじ止めや溶接などによって取付金具８２を取り付けても良い。
【００４４】
また、前記標示体２のワイヤー固定部２３ａは、取付ボルトＢ２とこれに螺結させるナットＮ２によりワイヤー固定金具２３を各溝部２１へ取り付けて設けているが、これに限るものではない。
例えば、前記溝部２１へ挿入して収納させたナットへアイボルトを螺結させ、このアイボルトのリング形状の頭部をワイヤー固定部として利用しても良い。
このように固定したアイボルトをワイヤー固定部２３ａとして利用する場合、アイボルトの雄ねじ部分が前後方向へ向けられるのに対し、落下防止ワイヤ−９２が固定されて引張されるアイボルトの頭部は、略上方へ向けて荷重が加わるようになされる。
換言すると、固定された落下防止ワイヤ−９２に頭部が引張されるとき、前記アイボルトの雄ねじ部分には、ねじの向きに対し垂直方向へ曲げるような力が加わる。更に、落下防止ワイヤー９２とアイボルトの頭部との固定部分は、アイボルトの雄ねじ部分から若干離れた位置に配置されるので、梃子の原理によってアイボルトの雄ねじ部分により大きな力が加わるようになされ、折損する可能性が懸念される。
これに対し、図３、４に示すワイヤー固定金具２３は、板状に形成した取付板部２３ｃの貫通孔に前記取付ボルトＢ２を挿通させて固定しているので、ワイヤー固定部２３ａに固定させた落下防止ワイヤー９２に引張されたときに、取付ボルトＢ２の雄ねじ部分に加わる垂直方向への力がより小さくなされ、雄ねじ部分の折損が抑制される。更に、前記ワイヤー固定金具２３は、前記取付板部２３ｃに２本、即ち複数の取付ボルトＢ２を挿通させて前記標示体２へ固定させているので、ワイヤー固定部２３ａが落下防止ワイヤー９２に引張されるときに、その力が各取付ボルトＢ２へ分散されて折損しにくくなされ、ワイヤー固定部２３ａが標示体２から離脱するような問題が抑制できる。
【００４５】
また、前記標示体２のワイヤー固定部２３ａは、取付板部２３ｃと、その上端から後方へ延設させる離間部２３ｂと、その後端から上方へ延設させる前記ワイヤー固定部２３ａとを備えるワイヤー固定金具２３を用いて形成しているので、落下防止ワイヤー９２を固定するワイヤー固定部２３ａが標示体２の後面から離間した位置に配置される。このため、前記取付金具８２による固定が外れ、標示体２と支柱１との間で落下防止ワイヤー９２が引張されたときに、落下防止ワイヤー９２が標示体２の後面へ接触しにくくなされ、接触による落下防止ワイヤー９２の切断が抑制できる。
更に、前記ワイヤー固定部２３ａが落下防止ワイヤー９２に引張されたときに、金属板を曲げ加工して形成した前記ワイヤー固定金具２３の垂直方向への曲げ部分が開くように変形して前記落下防止ワイヤー９２から加わる衝撃を低減させ、前記ワイヤー固定部２３ａが前記標示体２から離脱するような問題が抑制できる。
【００４６】
尚、図１〜９において、前記各落下防止ワイヤー９２、９４、９５は、いずれも引張されているように直線状に描かれているが、これに限るものではなく、取付金具８２、８５や軸着部４１によって前記標示体２や太陽電池ユニット４や制御箱５が支柱へ取り付けられている状態において、若干たわんでいてもよい。
【００４７】
また、図１〜９に示す標示体２は、前面側にＬＥＤをマトリクス状に配置させてこれらの点灯と消灯とを組み合わせて標示を表す、所謂ドットマトリクス表示を行うように設けているが、これに限るものではない。例えば、ＬＥＤ等の発光体によってセグメントを形成し、このセグメントの発光により標示を表す所謂セグメント表示を行うように設けても良く、発光体を内装して表示部分を内側から光で照らす内照式表示を行うように設けてもよく、外側に配置させた発光体からの光で表示部分を照らす外照式に設けても良く、発光体を備えなくても良い。
【符号の説明】
【００４８】
１    支柱
１１  上端部
１２  支柱ワイヤー固定部
１４  支柱ワイヤー固定部
１５  支柱ワイヤー固定部
２    標示体
２１  溝部
２２  溝金具
２３  ワイヤー固定金具
２３ａ  ワイヤー固定部
３    標示体
４    太陽電池ユニット
４１  軸着部
５    制御箱
５１  溝部
５２  溝金具
５３  ワイヤー固定金具
５３ａ  ワイヤー固定部
８２  取付金具
８５  取付金具
９２  落下防止ワイヤー
９４  落下防止ワイヤー
９５  落下防止ワイヤー
Ｂ２  取付ボルト
Ｂ４  取付ボルト
Ｂ５  取付ボルト
Ｎ２  ナット
Ｎ４  ナット
Ｎ５  ナット
【図１】
2018071167.tif 000003
【図２】
2018071167.tif 000004
【図３】
2018071167.tif 000005
【図４】
2018071167.tif 000006
【図５】
2018071167.tif 000007
【図６】
2018071167.tif 000008
【図７】
2018071167.tif 000009
【図８】
2018071167.tif 000010
【図９】
2018071167.tif 000011